(57)【要約】      （修正有）【課題】掛布団及び敷布団がすべり落ち又移動することなく快適な生活をすることが可能な布団を提供する。【解決手段】敷布団５の頭部先部分から延びた着脱可能な袋状部分９と、掛布団１４の足先部分から延びる着脱可能な滑り止め１５を有することを特徴とする。【選択図】図１２
0003110440.tif 000002
【実用新案登録請求の範囲】
【請求項１】
布団を頭部先部分と足先部分を組み合わせ固定することによって、敷布団の頭部先部分から延びた着脱可能な袋状部分を有する敷布団カバーと、掛布団の足先部分から延びる着脱可能な滑り止めを有する掛布団はずれがなくなり、足元の保温が保てることを特徴とする布団セット。
【考案の詳細な説明】
【技術分野】
【０００１】
本案は、布団で快適な生活を営むためには一般の布団を改良し、布団がずれないように固定をするものです。
【背景技術】
【０００２】
従来の寝具は固定するような方法が講じられていなかったため図に示すような布団及びカバーを考案した。
【０００３】
図1・図2を用いた敷布団を考案し、さらに掛布団は、図5・図6を用い図7に示した掛布団が安定し、特に足元の保温性を重視し、かつ、図9・図10・図11に示した布団カバーを作成した。
【考案の開示】
【考案が解決しようとする課題】
【０００４】
従来の布団は、器具等を用いて背上げ操作を行う床板と布団等がずれを生じ、現状に復起した場合、布団が正常に戻らない。
【課題を解決するための手段】
【０００５】
頭の部分又足の部分等を固定布で、使用することによって正常に戻る。
【考案の効果】
【０００６】
敷布団の頭部先部分から延びた着脱可能な袋状部分を有する敷布団カバーと、掛布団の足先部分から延びる着脱可能な滑り止めを有する掛布団はずれがなくなり、足元の保温が保てる。
【考案を実施するための最良の形態】
【０００７】
以下の本考案の好適な実施例を図1から図12に基づいて詳細に説明する。
【実施例】
【０００８】
図1、図2は、ベッドに合わせた布団を頭部に移動固定布に留ボタンを使用し、固定化を図った。
図3は、ベッドの床板に上頭部分に図1・図2を接合し、固定したものである。
図4は、図3で示した状態で、背上げをした。
図5、図6は、ベッドに合わせた布団を下足部に移動固定布に留ボタンを使用し、固定化を図った。
図7敷布団をベッドの床板に上頭部を固定した状態で、掛布団を上に掛け        て下足部の固定布を敷布団に接合した状態である。
図8は、図7で示した状態で、背上げをした。
図12は、図1、図2、図3、図4、図5、図6、図7、図8及び図9、図10、図11用いて合わせた状態である。
【産業上の利用可能性】
【０００９】
本考案は、移動固定布を利用し、掛布団・敷布団のずれを固定器具等で固定    し、敷カバーには、ロングファスナーを用い着脱を容易にし、特に介護用の布団に適する。
【図面の簡単な説明】
【００１０】
【図１】敷布団本体及び表から見た留めボタン
【図２】敷布団の移動固定布及び裏から見た留めボタン
【図３】敷布団をベッドに組み合せた側面図
【図４】敷布団をベッドに組み合せ、背上げをした側面図
【図５】掛布団本体及び表から見た留めボタン
【図６】掛布団の移動固定布及び裏から見た留めボタン
【図７】掛・敷布団をベッドに組み合せた側面図
【図８】掛・敷布団をベッドに組み合せた背上げをした側面図
【図９】敷布団カバーを表から見た図
【図１０】敷布団カバーを裏から見た図
【図１１】掛布団カバー上から見た図
【図１２】以上の全てを組み合せ、背上げをした側面図
【符号の説明】
【００１１】
1  敷布団本体
2  表から見た留めボタン
3  敷布団の移動固定布
4  裏から見た留めボタン
5  敷布団をベッドに組み合わせた側面
6  ベッドの床板
7  ベッド
8  側面から見た留めボタン
9  側面から見た移動固定布 
10  掛布団本体
11  表から見た留めボタン
12  掛布団の移動固定布 
13  裏か見た留めボタン
14  掛布団を敷布団に組み合わせた側面
15  側面から見た移動固定布
16  敷布団カバーの表
17  ロングファスナー
18  敷布団カバーの裏
19  掛布団カバー
20  留めボタン
21  開穴部分（移動固定布取出し口）
【図１】
0003110440.tif 000003
【図２】
0003110440.tif 000004
【図３】
0003110440.tif 000005
【図４】
0003110440.tif 000006
【図５】
0003110440.tif 000007
【図６】
0003110440.tif 000008
【図７】
0003110440.tif 000009
【図８】
0003110440.tif 000010
【図９】
0003110440.tif 000011
【図１０】
0003110440.tif 000012
【図１１】
0003110440.tif 000013
【図１２】
0003110440.tif 000014
【手続補正書】
【提出日】平成17年4月13日(2005.4.13)
【手続補正１】
【補正対象書類名】実用新案登録請求の範囲
【補正対象項目名】全文
【補正方法】変更
【補正の内容】
【実用新案登録請求の範囲】
【請求項１】
敷布団本体の頭部先部分から延びる移動固定布を敷布団本体の裏面側に配置し、前記移動固定布の側面を敷布団本体の側面に留めることにより、移動固定布と敷布団本体の裏面との間に、ベッドの床板の上頭部分に挿入する袋状部分を形成したことを特徴とする敷布団。
【請求項２】
前記移動固定布が敷布団本体に対して着脱可能であることを特徴とする請求項１に記載の敷布団。
【請求項３】
敷布団の足先部分に掛け回して敷布団の下側に敷くよう、掛布団本体の足先部分から延びる移動固定布を有することを特徴とする掛布団。
【請求項４】
前記移動固定布が掛布団本体に対して着脱可能であることを特徴とする請求項３に記載の掛布団。
【請求項５】
敷布団と掛布団との組み合わせからなり、
前記敷布団は、敷布団本体の頭部先部分から延びる移動固定布を敷布団本体の裏面側に配置し、前記移動固定布の側面を敷布団本体の側面に留めることにより、移動固定布と敷布団本体の裏面との間に、ベッドの床板の上頭部分に挿入する袋状部分を形成し、
前記掛布団は、敷布団の足先部分に掛け回して敷布団の下側に敷くよう、掛布団本体の足先部分から延びる移動固定布を有することを特徴とする布団セット。
【手続補正２】
【補正対象書類名】明細書
【補正対象項目名】０００５
【補正方法】変更
【補正の内容】
【０００５】
頭の部分又足の部分等を固定布で、使用することによって正常に戻る。すなわち、敷布団は、図３および図４に示すように、敷布団本体１の頭部先部分から延びる移動固定布３を敷布団本体１の裏面側に配置し、前記移動固定布３の側面を敷布団本体１の側面に留めボタン２，４で留めることにより、移動固定布３と敷布団本体１の裏面との間に、ベッドの床板の上頭部分に挿入する袋状部分が形成されている。移動固定布３は、留ボタン２を使用して敷布団本体１に着脱可能となっている。
一方、掛布団は、図７および図８に示すように、敷布団の足先部分に掛け回して敷布団の下側に敷くよう、掛布団本体１０の足先部分から延びる移動固定布１３を有している。この移動固定布１３は、図５および図６に示すように、留ボタンを使用して掛布団本体１０に着脱可能とされている。
【手続補正３】
【補正対象書類名】明細書
【補正対象項目名】０００６
【補正方法】変更
【補正の内容】
【０００６】
以上のとおり、本考案によると、敷布団と掛布団とは、共に移動固定布が設けられているため、ベッドを背上げした場合でも、ずれがなくなり、また、足元の保温が保てる。